(57)【要約】【課題】箸置き本体のサイズ縮小を可能とし、箸置きの摘み部に於いて、箸を置き易く、また摘み易くして、且つ食卓の配膳に違和感なく調和する、実用性ある箸置きの構造を提供すること。【解決手段】本考案は、箸置きの構造であり、箸置きの本体と箸の据え置き部及び摘み部を含む。箸置きの本体は上部と底部を包括し、据え置き部は上部の長手方向の両側に高さ方向の凹みをなし、箸置きの上部において箸は長手方向に据え置き部に据え、摘み部は上部の短手方向の両側に短手方向の凹みをなし、摘み部の高度は据え置き部よりも低くする。これにより、箸置き本体のサイズ縮小が可能となり、箸置きの摘み部に於いて、箸が置き易くまた摘み易くなり、且つ食卓の配膳に違和感なく調和させることのできる、実用性ある箸置きの構造が提供される。【選択図】図１
0003234229.tif 000002
【実用新案登録請求の範囲】
【請求項１】
上部と底部を含む箸置き本体と、
前記上部の長手方向の両側に高さ方向の凹みをなす据え置き部と、
前記上部の短手方向の両側に前記短手方向の凹みをなす摘み部と、
を有し、
前記摘み部の高度は前記据え置き部よりも低くなる、箸置きの構造。
【請求項２】
前記箸置き本体の中は空いている、請求項１に記載の箸置きの構造。
【請求項３】
前記据え置き部は第一凹部と第二凹部を有し、前記第一凹部と前記第二凹部は、相互に対向するように、それぞれが前記上部の前記長手方向の両端に位置する、請求項１に記載の箸置きの構造。
【請求項４】
前記摘み部は第三凹部と第四凹部を有し、前記第三凹部と前記第四凹部は、相互に対向するように、それぞれが前記上部の前記短手方向の両側に位置する、請求項３に記載の箸置きの構造。
【請求項５】
前記第三凹部と前記第四凹部の高度は、前記第一凹部と前記第二凹部よりも低い、請求項４に記載の箸置きの構造。
【考案の詳細な説明】
【技術分野】
【０００１】
本考案は、箸置きの構造で、特に箸置きを箸の中心に置く形態に求められるサイズの縮小を可能にし、且つ箸の中央部を指で摘み、そして箸置きに置き易く、更に摘まみ上げ易くした、実用性のある箸置きの構造である。
【背景技術】
【０００２】
神人共食を隠喩する両口箸（箸の両端が細くなっているか、中央から両端にかけて同径寸胴の箸）用の箸置きは耳皿とも呼ばれ、神饌用として使われている。神饌用の両口箸は、私たちが一般の食卓で使用する両口箸よりも長く、また箸置き自体も大きい構造である。したがって、神饌用の箸置きを、そのまま直接一般の短い両口箸に用いると、箸置きの中に箸が沈み、箸置き上部の短手方向に相互対応している耳の部位が指に閊えて箸が摘みにくいという問題が生じ、加えて箸置き自体が大きい為に、食卓において他の食器との配膳比率の関係で違和感が生じていた。その結果、一般的な両口箸には、一般の片方の箸先が細くなっている片口箸に使用する一般の箸置きが普遍的に用いられ、一般的な両口箸に用いるための、箸置きを箸の中心に置く構造は考案されてこなかった。
【０００３】
そのため、一般用としての両口箸に適した、実用性のある小型の箸置きの構造が求められていた。
【考案の概要】
【考案が解決しようとする課題】
【０００４】
本考案の目的は、一般使用としての上述の課題を解決すべく、箸置き自体のサイズ縮小を可能にし、且つ箸を箸置きに置き易く、また摘み取り易くし、更に食卓の配膳上調和のとれる実用性ある箸置きを提供することにある。
【課題を解決するための手段】
【０００５】
上述の課題を解決し，且つ目的を達成するべく、本考案は両口箸用の箸置きの構造を提供する。箸置きの構造は、箸置き本体と据え置き部及び摘み部を含む。箸置き本体は、上部と底部を包括し、前記据え置き部は前記上部の長手方向の両側に高さ方向の凹みをなし、前記摘み部は前記上部の短手方向の両側に前記短手方向の凹みをなし、前記摘み部の高度が前記据え置き部よりも低くなっており、これにより箸置き本体のサイズが縮小でき、箸を置き易く、また摘まみ易くすることが可能となった。
【０００６】
上述の箸置きの構造中、当該箸置き本体の内側は空である。
【０００７】
前記据え置き部は第一凹部と第二凹部を有し、第一凹部と第二凹部は、相互に対向するように、それぞれが箸置き本体の上部の長手方向の両側に位置する。
【０００８】
上述の箸置きの構造中、摘み部は第三凹部と第四凹部を有し、第三凹部と第四凹部は、相互に対向するように、それぞれが当該箸置きの上部の短手方向の両側に位置する。
【０００９】
上述の箸置きの構造中、第三凹部と第四凹部の高度は、第一凹部と第二凹部の高度よりも低い。
【考案の効果】
【００１０】
本考案の箸置きの構造は、摘み部の凹部の高さを、据え置き部の凹部の高さよりも低くすることで、指で箸の中央部を摘まみ、箸置きに置き、また箸を摘まみ上げる際、指が箸置きに閊える問題が解消され、箸置き全体のサイズを小さくすることが可能となり、利便性が達成され、且つ実用的で、何よりも食卓の配膳において他の食器と調和のとれる効果を有する。
【図面の簡単な説明】
【００１１】
【図１】図１は、本考案の箸置きの構造を示す外観概略図である。
【図２】図２は、本考案の箸置きの構造を示す側面概略図である。
【図３】図３は、本考案の箸置きの構造の実施形態に係る側面概略図ある。
【図４】図４は、本考案の箸置きの構造の実施形態に係る上面概略図である。
【考案を実施するための形態】
【００１２】
本考案の目的、特徴及び効果をより分かり易くするために、具体的な実施形態に関し、見取り図に基づいて以下に詳しく説明する。
【００１３】
図１から図４を参照すると、本考案は箸置きの構造であり、それは箸置き本体１と箸を据え置くための据え置き部２及び箸の摘み部３を包含している。
【００１４】
当該箸置きの本体は、上部１１と底部１２を包括する。
【００１５】
図４を参照し、据え置き部２は、箸置き本体１の上部１１に於いて、箸置きの長手方向の両側に高さ方向の凹みをなす。本願において、高さ方向の凹みとは、箸置きの高さ方向に沿って凹んでいる凹みを指す。図４に示すように、据え置き部２は、箸置き本体１の上部１１に於いて、高さ方向に沿って上から下へ凹む凹みをなしている。
【００１６】
箸の摘み部３は、当該箸置き本体１の上部１１に於いて、箸置きの短手方向の両側に沿って短手方向の凹み（つまり図４に示すように短手方向の両側から縮む）をなす。この実施例において、短手方向の凹みは、上方視点から見れば略円弧状となり、つまり上部１１の短手方向寸法が前後から段々狭くなる。生産過程では、短手方向の外側から中心へ向かって折り曲げることによって形成する。摘み部３は据え置き部２の両端を結ぶラインを中央で前後に跨ぎ、摘み部３の高度は据え置き部２の高度よりも低く位置する。
【００１７】
上述の箸置き本体１、据え置き部２及び摘み部３の構造関係は、箸置き本体のサイズを縮小可能にする効果を有する。
【００１８】
本考案である箸置きの構造と使用について、箸置き本体１はその底部１２を食卓の天板上面に向けて置き、箸４は据え置き部２に置かれる。図３、４を参照し、摘み部３は箸４の中央側面に対応し、箸４は手の指５で据え置き部２に対して横方向、即ち箸置きの長手方向（つまり当該箸置き自体を置く方向は絶対的でなく、箸が縦置きか横置きかは固定化されない）に箸置き本体１の上部１１に置かれる。箸４の使用には、手の指５を摘み部３に置き、箸４の側面を摘み上げてから用いる。摘み部３の高度は、据え置き部２の高度よりも低く設定されているため、手の指５で箸４をスムーズに摘まむことが可能になり、箸４が摘み部３の間に沈み込み、摘み部３が手の指５に閊える問題を解消し、更に一般的な食卓に適合する大きさへの縮小が可能となり、利便性がある。
【００１９】
本考案の実施例中、当該箸置き本体1の中は空いていて、箸置き本体1の底部１２は平面状である。これにより、箸置き本体１は底部１２がテーブルの天板上に安定感をもって配置でき、美観を呈している。
【００２０】
この他に、当該箸置き本体１の内側に素材を充填したり、或いは他の意匠を与えて実際の使用に見合った美観効果を出しつつ、箸置き自体を小さくする効果を得ることも可能である。
【００２１】
本考案の実施例中、据え置き部２は第一凹部２１及び第二凹部２２を有し、第一凹部２１と第二凹部２２は、相互に対向するように、それぞれが当該箸置き本体1の上部の長手方向の両端に位置している。また、摘み部は第三凹部３１及び第四凹部３２を有し、第三凹部３１と第四凹部３２は相互に対向するように、それぞれが箸置き本体１の上部１１の短手方向の両側に位置し、第三凹部３１と第四凹部３２の高度は、第一凹部２１と第二凹部２２よりも低く位置している。
【００２２】
この実施例において、摘み部３として第三凹部３１と第四凹部３２は短手方向の凹みだけではなく、図１に示すように、高さ方向の凹みにもなっている。つまり、摘み部３は短手方向と高さ方向に凹んでいる。
【００２３】
これにより、箸４の中央両側面を手の指５で摘み、箸４を据え置き部２の第一凹部２１と第二凹部２２を結ぶラインの中央へ移動し、摘み部３の第三凹部３１及び第四凹部３２に対応する位置で暫定的に箸置き本体１の上部１１に置くことが可能となる。また、箸４を箸置き本体１から摘まみ上げて用いる場合、摘み部３の第三凹部３１及び第四凹部３２に対応する位置で、箸４の両側面を手の指５で摘まみ上げ、続けて箸４の使用を開始する。摘み部３の第三凹部３１と第四凹部３２の高度は、据え置き部２の第一凹部２１と第二凹部２２よりも低い構造であるため、第三凹部３１と第四凹部３２は、手の指５へ箸４を取り扱うのに必要な空間を提供し、手の指５は摘み部３に於いて箸４を容易に摘み上げることと同時に置くことができ、一般の食卓に調和した実用性ある箸置きが提供可能になった。
【００２４】
当該分野の技術を熟知する者が理解できるように、本考案の好適な実施形態を前述の通り図解説明したが、これらは決して本考案を限定するものではなく、本考案の主旨と領域を逸脱しない範囲内で、各種の変更や修正を加えることができる。従って、本考案の実用新案登録請求の範囲は、このような変更や修正を含めて広く解釈されるべきである。
【符号の説明】
【００２５】
１  箸置き本体
１１  上部
１２  底部
２  据え置き部
２１  第一凹部
２２  第二凹部
３  摘み部
３１  第三凹部
３２  第四凹部
４  箸
５  手の指
【図１】
0003234229.tif 000003
【図２】
0003234229.tif 000004
【図３】
0003234229.tif 000005
【図４】
0003234229.tif 000006